(57)【要約】      （修正有）【課題】上のパン及び下のパンの分離及び結合が非常に手軽にできて、上のパンを下のパンに対して垂直方向に開放された状態を安定的に維持できる両面フライパンを提供する。【解決手段】上のパン１１の外周一側に設けられ、挿入部が水平方向に形成された上部ちょうつがい２１及び下のパン１２の一側に結合され、上記の上部ちょうつがいの挿入部が分離可能に挿入される挿入スロットが形成された下部ちょうつがい２２を含み、上記の上部ちょうつがいの挿入部が上記の下部ちょうつがいの挿入スロットに挿入され、回動されることにより上のパン１１は下のパン１２に対して開放され、上記の上部ちょうつがいには支持部が形成され、上記の支持部は上のパン１１が下のパン１２に対して開放する際、上記の上部ちょうつがいの支持部が上記の下部ちょうつがいに支持されることにより、上のパン１１の開放度が維持される。【選択図】図１
0003190524.tif 000002
【実用新案登録請求の範囲】
【請求項１】
上のパン(11)及び 下のパン(12)を含む両面フライパンにおいて、
上のパン(11)の外周一側に具備され、挿入部(21a)が水平方向に形成された上部ちょうつがい(21)及び下のパン(12)の一側に結合され、上記の上部ちょうつがい(21)の挿入部(21a)が分離可能に挿入される挿入スロット(22e)が形成された下部ちょうつがい(22)を含んで、
上部ちょうつがい(21)の挿入部(21a)が下部ちょうつがい(22)の挿入スロット(22e)に挿入されて回動することにより、上のパン(11)は下のパン(12)に対して開放され、
上記の上部ちょうつがい(21)には支持部(26)が形成され、上記の支持部(26)は上のパン(11)が下のパン(12)に対して開放される際、上記の上部ちょうつがい(21)の支持部(26)が上記の下部ちょうつがい(22)に支持されることにより、上のパン(11)の開放度が維持されることを特徴とする両面フライパン。
【請求項２】
請求項1において、
上記の上部ちょうつがい(21)と下部ちょうつがい(22)には第1傾斜部（21b）及び第2傾斜部(22b)が相互対応されるように形成され、上記の上部ちょうつがい(21)が上記の下部ちょうつがい(22)に対して回動すると上記の第1傾斜部（21b）と第2傾斜部(22b)は相互支持されるように、上記の第1傾斜部（21b）と第2傾斜部(22b)は相互対応する傾斜角とされていることを特徴とする両面フライパン。
【請求項３】
請求項1又は２において、
前記上部ちょうつがい(21)は上部ちょうつがい(21)の先端から上のパン(11)の方向に水平方向に平らに形成された挿入部(21a)と、前記挿入部(21a)の上のパンに近接する端部に一端部で連結され上のパンの深さ方向に傾斜された第1傾斜部(21b)と、上記の第1傾斜部(21b)の他端部に一端部で連結され上のパン(11)に対して近接する方向に水平方向に延びる第1水平連結部(21c)と、上記の第1水平連結部(21c)の他端部に連結され上のパン(11)の外周の一側に装着された第1装着部(21d)を有することを特徴とする両面フライパン。 
【請求項４】
請求項3において、
上記の第1水平連結部(21c)の左右両側には一対の支持部(26)が対称的に形成されるのを特徴とする両面フライパン。
【請求項５】
請求項1乃至４のいずれかにおいて、
前記下部ちょうつがい(22)は下部ちょうつがい(22)の先端から下のパン(12)の方向に水平方向に平らに形成された水平部(22a)と、前記水平部(22a)の下のパンに近接する端部に一端部で連結され下のパン(12)の深さ方向に傾斜された第2傾斜部(22b)と、上記の第2傾斜部(22b)の他端部に一端部で連結され下のパン(12)に対して近接する方向に水平方向に延びる第2水平連結部(22c)と、上記の第2水平連結部(22c)の他端部に連結され下のパン(12)の外周の一側に装着された第2装着部(22d)を有することを特徴とする両面フライパン。
【請求項６】
請求項5において、
上記の挿入スロット(22e)は上記の下部ちょうつがい(22)の水平部(22a)及び傾斜部(22b)が連結された部分に形成されるのを特徴とする両面フライパン。
【請求項７】
請求項5又は６において、
上記の水平部(22a)の底面には陥没部(22f)が形成され、上記の陥没部(22f)には上部ちょうつがい(21)の挿入部(21a)が収容されるように構成されるのを特徴とする両面フライパン。
【請求項８】
請求項3乃至7のいずれかにおいて、
上記の下部ちょうつがい(22)の第2傾斜部(22b)及び上部ちょうつがい(21)の第1傾斜部（21b）のうち少なくとも、いずれかには一つ以上の支持突起(25)が形成されるのを特徴とする両面フライパン。
【考案の詳細な説明】
【技術分野】
【０００１】
本考案は両面フライパンに関し、詳細には上のパン及び下のパンの分離及び結合が非常に手軽に行うことができて、上のパンの開放度を安定的に維持できる両面フライパンに関するものである。 
【背景技術】
【０００２】
従来、一般的に焼き器はトースト、魚、肉類、野菜（さつまいも又は芋など）又は卵などを焼くためのもので、主に単一のフライパンの構造であったのが、最近は両面で接合され使用できる両面フライパンが出回っている。
このような両面フライパンは上のパンと下のパンがヒンジ部によりお互いに相対的に回動できるように連結され、上のパン及び下のパンは各々に取っ手が設けられている。両面フライパンを利用し、調理する前には上のパンを下のパンに対して90°程度開放させた状態で下のパンの内部に調理対象物を入れた後、ヒンジ部により上のパンを下のパンに合わせて下のパンの上部を覆って上部のパン及び下のパンを密閉させる。
【０００３】
そして、両面フライパンのヒンジ部は特許文献１の例示のように、上のパンの一側に形成された円筒形のヒンジ軸(雄ヒンジ)と下のパンの一側に形成されたヒンジ収容ホーム(雌ヒンジ)で成り立っており、これに上のパン及び下のパンを分離し、個別的に使用する際にはヒンジ部の円筒形ヒンジ(雄ヒンジ)をヒンジ収容ホーム(雌ヒンジ)から分離できるように構成されている。  
このような従来の両面フライパンのヒンジ部は結合のため円筒形ヒンジ(雄ヒンジ)とヒンジ収容ホーム(雌ヒンジ)の結合のため正確に合わせなければならないので、その結合及び分離が非常に煩わしい短所があった。 
なお、従来の両面フライパンは円筒形ヒンジ及びヒンジ収容ホームで成り立ったヒンジ部の加工のためには鋳物またはダイカストなどの製造方式で限定されることによって、その製造が容易ではないため製造単価が上昇するだけではなく大量生産化が容易ではない短所があった。
【先行技術文献】
【特許文献】
【０００４】
【特許文献１】韓国登録実用新案公報No.20-0314637 Y1(2003.05.15)
【考案の概要】
【考案が解決しようとする課題】
【０００５】
本考案は上記のように従来技術の様々な短所を解決するため研究及び開発されたもので、上のパン及び下のパンの分離及び結合を非常に手軽に行うことができて、上のパンの開放度を安定的に維持できる両面フライパンを提供することを目的とする。 
【課題を解決するための手段】
【０００６】
（１）上記のように目的を達成するための本考案は、上のパン及び下のパンを含む両面フライパンにおいて、
上のパンの外周の一側に設けられ、挿入部が水平方向に形成された上部ちょうつがい及び下のパンの一側に結合され、該上部ちょうつがいの挿入部が分離可能に挿入される挿入スロットが形成された下部ちょうつがいを含んで、
該上部ちょうつがいの挿入部が上記の下部ちょうつがいの挿入スロットに挿入され、回動されることにより、上のパンは下のパンに対し開放され、
該上部ちょうつがいには支持部が形成され、該支持部は上のパンが下のパンに対して開放される際に、該上部ちょうつがいの支持部が該下部ちょうつがいに支持されることにより、上のパンの開放度が維持されるのを特徴とする。 
【０００７】
以下の態様は本考案の好ましい態様であり、それらを組み合わせた態様も特に矛盾がない限り、本考案の好ましい態様とされる。
（２）上記の上部ちょうつがいと下部ちょうつがいにはそれぞれ第1傾斜部及び第2傾斜部が相互対応できるように形成され、上記の上部ちょうつがいが上記の下部ちょうつがいに対して回動すると上記の第1傾斜部と第2傾斜部は相互支持できるように上記の第1傾斜部と第2傾斜部は相互対応する傾斜角とされていることを特徴とする。 
（３）前記上部ちょうつがいは上部ちょうつがいの先端から上のパンの方向に水平方向に平らに形成された挿入部と、前記挿入部の上のパンに近接する端部に一端部で連結され上のパンの深さ方向に傾斜された第1傾斜部と、上記の第1傾斜部の他端部に一端部で連結され上のパンに対して近接する方向に水平方向に延びる第1水平連結部と、上記の第1水平連結部の他端部に連結され上のパンの外周の一側に装着された第1装着部を有することを特徴とする。 
【０００８】
（４）上記の第1水平連結部の左右両側には一対の支持部が対称的に形成されるのを特徴とする。 
（５）前記下部ちょうつがいは下部ちょうつがいの先端から下のパンの方向に水平方向に平らに形成された水平部と、前記水平部の下のパンに近接する端部に一端部で連結され下のパンの深さ方向に傾斜された第2傾斜部と、上記の第2傾斜部の他端部に一端部で連結され下のパンに対して近接する方向に水平方向に延びる第2水平連結部と、上記の第2水平連結部の他端部に連結され下のパンの外周の一側に装着された第2装着部を有することを特徴とする。
（６）上記の挿入スロットは上記の下部ちょうつがいの水平部及び傾斜部が連結された部分に形成されるのを特徴とする。
（７）上記の水平部の底面には陥没部が形成され、上記の陥没部には上部ちょうつがいの挿入部が収容できるように構成されるのを特徴とする。 
（８）上記の下部ちょうつがいの第2傾斜部及び上部ちょうつがいの第1傾斜部のうちいずれか一つには一つ以上の支持凸部が形成されるのを特徴とする。 
【考案の効果】
【０００９】
本考案により、上部ちょうつがい及び下部ちょうつがいによって上のパン及び下のパンの分離及び結合が非常に手軽に行われることができる。上のパン及び下のパンの分離の際には上のパン及び下のパンの独立的使用が容易で、さらに保管も便利という長所がある。 
そして、本考案は上のパン及び下のパンを結合し、使用する際には上部ちょうつがいの支持部を下部ちょうつがいに支持させることによって上のパンの開放度を安定的に維持できるため、多彩な料理を効率的に遂行できる長所がある。 
【図面の簡単な説明】
【００１０】
【図１】本考案の実施例による両面フライパンを図示した分解斜視図である。
【図２】図1の矢印A部分を拡大し、図示した拡大図である。
【図３】図1の矢印B部分を拡大し、図示した拡大図である。
【図４】本考案により両面フライパンの上のパン及び下のパンが密閉されることにより、上部ちょうつがい及び下部ちょうつがいが水平方向で結合された状態を図示した側面図である。
【図５】本考案により両面フライパンの上のパンが下のパンに対して開放されることにより、上部ちょうつがいが下部ちょうつがいに垂直方向に回動し、支持された状態を図示した側面図である。
【考案を実施するための形態】
【００１１】
以下、本考案の望ましい実施例を添付された図面を参考し詳細に説明する。
参考に、本考案を説明するのに参照する図面に図示された構成要素の大きさ、線の厚さなどは理解の便宜上多少誇張して表現した部分もあるが、考案の本質には影響はない。なお、本考案の説明に使用される用語は本考案の機能を考慮し、定義したのであり、使用者、運用者の意図、慣例などにより異なることがある。したがって、この用語の定義は本明細書の全般にわたる内容をもとに理解・把握するのが適当である。
【００１２】
図1ないし図5は本考案の実施例による両面フライパンを図示した図面である。 
図示されたように、本考案により両面フライパンは分離可能に結合される上のパン(11)及び下のパン(12)を含んでいる。
上のパン(11)はその底部側へ移動・開放されるものとされ、空間が形成された容器の形に形成され、上のパン(11)が下のパン(12)に結合される際に上のパン (11)は下のパン(12)の開放された上部を覆うことにより、上のパン(11)と下のパン(12)の間の料理空間が効果的に密閉される。
【００１３】
図4及び図5に図示されたように、上のパン(11)の端の部分(11a)は外方へ水平平坦に形成され、上のパン(11)の端の部分(11a)にはパッキング(13)が分離可能に結合され、このパッキング(13)は“コ”字型断面構造とすることによって、上のパン(11)の端の部分(11a)に容易に分離及び結合できる。 
上のパン(11)の外周一側には上部ちょうつがい(21)が装着され、上のパン(11)の外周他側には上部取っ手部(31)が装着される。上部ちょうつがい(21)と上部取っ手部(31)は上のパン(11)の外周でお互いに対向する位置に設置される。 
【００１４】
図2、図4及び図5のように、上部ちょうつがい（21）は上部ちょうつがい(21)の先端から上のパン(11)の方向に水平方向に平坦に形成された挿入部(21a)と、挿入部(21a)の上のパンに近接する端部に一端部で連結され上のパンの深さ方向に傾斜された第1傾斜部(21b)と、第1傾斜部の他端部に一端部で連結され上のパンに対して近接する方向に水平方向に延びる第1水平連結部(21c)と、第1水平連結部の他端部に連結され上のパンの外周の一側に装着された第1装着部(21d)を有する。 
挿入部(21a)は水平方向に平坦に形成され、後述する下部ちょうつがい(22)の挿入スロット(22e)に挿入及び分離が非常に手軽に行われ、これによって上のパン(11)と下のパン(12)の分離及び結合が非常に容易である。
【００１５】
そして、下のパン(12)から上のパン(11)が分離され、独立的に使用される際、水平方向に平坦に形成された挿入部(21a)を補助取っ手として利用できるため、その使用便宜性が増進できる。 
第1傾斜部(21b)には挿入空間部(21e)が形成され、このような挿入空間部(21e)により上部ちょうつがい(21)の全体重量が減少されるだけではなく、上のパン(11)の独立的な使用時には挿入部(21a)の補助取っ手機能をより効果的に遂行できる。
第1水平連結部(21c)は挿入部(21a)及び傾斜部(21b)を上のパン(11)の外側に突出させるように連結することにより、上のパン(11)と下のパン(12)の分離及び結合、上のパンの回動作動などを干渉なく円滑にできる。 
第1装着部(21d)は上のパン(11)の外面に対応する形状に形成され、これに第1装着部(21d)は上のパン(11)の外面にリベッティング、ボルト、溶接などを通じて緊密に結合できる。一方、上のパン(11)と下のパン(12)の密閉性向上のためには上のパン(11)の上部ちょうつがい(21)と上部取っ手部(31)は同一な垂直の高さで装着されるのが望ましく、そのためリベット(23)を利用し上部ちょうつがい(21)及び上部取っ手部(31)各々をリベッティングさせるのが有利である。 
【００１６】
一方、図2、図4及び図5のように、上部ちょうつがい(21)には上のパン(11)の開放度を安定的に維持できるようにする支持部(26)が形成され、各支持部(26)は下部ちょうつがい(22)の水平部(22a)と面接触する平坦な接触面を持つ。これに、上部ちょうつがい(21)が下部ちょうつがい(22)に対し、一定角度（例えば、90°程度）で回動すると、支持部(26)が下部ちょうつがい(22)と面接触しながら、支持されることで上部ちょうつがい(21)及び上のパン(11)の開放された状態が安定的に維持できる(図5参照)。特に、一対の支持部(26)は上部ちょうつがい(21)の水平連結部(21c)の左右両側に対称的に形成されることで上部ちょうつがい(21)を円滑で、安定的に回動できる。 
下のパン(12)はその上部が開放されるものの底の深さが深い容器の形に形成され、上のパン(11)の端の部分には安着ホーム(12a)が折曲され形成される。このような安着ホーム(12a)には上のパン(11)のパッキング(13)が安着されることにより上のパン(11)と下のパン(12)の密閉が緊密に行われることができる。 
【００１７】
下のパン(12)一定の深さの内面には段差部(15)が段々に形成され、この段差部(15)には中蓋(16)の外周部が載置・支持される。中蓋(16)には複数の孔(16a)が形成され肉、鶏、餃子、野菜、魚、饅頭などを蒸し料理する際に蒸しパンとして利用できる。 
下のパン(12)の外周一側には下部ちょうつがい(22)が装着され、下のパン(12)の外周他側には下部取っ手部(32)が装着される。下部ちょうつがい(22)と下部取っ手部(32)は下のパン(12)の外周でお互いに対向される位置に設置される。 
一方、下のパン(12)の下部取っ手部(32)は上のパン(11)の上部取っ手部(31)に対応する位置に配置され、これに上のパン(11)と下のパン(12)が密閉される時、上部取っ手部(31)と下部取っ手部(32)は緊密にお互いに密着することができ、これを通じて上のパン(11)と下のパン(12)の密閉性を補強できる。特に、上部取っ手部(31)と下部取っ手部(32)には磁力によりお互いに密着できるように相互磁力が作用する二つの磁石が上部取っ手部(31)及び下部取っ手部(32)に各々設置できるし、他に上部取っ手部(31)及び下部取っ手部(32)のうちいずれか一つには磁石が設置されて他の一つには磁性体が設置できるのである。
【００１８】
下部ちょうつがい(22)は下部ちょうつがいの先端から下のパンの方向に水平方向に平坦に形成された水平部(22a)と、水平部(22a)の下のパンに近接する端部に一端部で連結され下のパンの深さ方向に傾斜された第2傾斜部(22b)と、上記の第2傾斜部(22b)の他端部に一端部で連結され下のパンに対して近接する方向に水平方向に延びる第2水平連結部(22c)と、第2水平連結部(22c)の他端部に連結され下のパンの外周の一側に装着された第2装着部(22d)を有する。
特に、下部ちょうつがい(22)の水平部(22a)及び第2傾斜部(22b)が連結された部分には挿入スロット(22e)が形成され、この挿入スロット(22e)は上部ちょうつがい(21)の挿入部(21a)が挿入された後、挿入スロット(22e)内から上下回動できるように十分な間隔及び幅を持つのが望ましいのである。このように挿入部(21a)が挿入スロット(22e)に挿入されて回動することにより、上のパン(11)は下のパン(12)の上部を密閉及び開放できる。 
【００１９】
水平部(22a)は下のパン(12)及び上のパン(11)がお互いに分離されて独立的に使用される際、上部ちょうつがい(21)の挿入部(21a)と同じように補助取っ手として活用できる。 
なお、水平部(22a)の底面の一部、即ち、挿入スロット(22e)に対応する部分には陥没部(22f)が形成され、この陥没部(22f)には上部ちょうつがい(21)の挿入部(21a)が収容されることにより、下部ちょうつがい(22)の水平部(22a)及び上部ちょうつがい(21)の挿入部(21a)に対して製造公差をより手軽に調整できて、これを通じて製造工程の簡素化を図ることができる。
第2傾斜部(22b)は上部ちょうつがい（21）の第1傾斜部(21b)に対応する位置に形成され、特に、第2傾斜部(22b)は、第1傾斜部(21b)と同一または類似の傾斜角で傾斜に形成される。上部ちょうつがい(21)の第1傾斜部(21b)及び下部ちょうつがい(22)の第2傾斜部(22b)は上部ちょうつがい(21)が下部ちょうつがい(22)に対して一定角度で回動された状態を支持する構成で、上部ちょうつがい(21)が下部ちょうつがい(22)に対して一定角度で回動すると、上部ちょうつがい(21)の第1傾斜部（21b）は下部ちょうつがい（22）の第2傾斜部（22b）に支持されることにより、上のパン（11）は、下のパン（12）に対して一定角度（例えば、90°程度）で開放された状態を維持できる。
【００２０】
そして、下部ちょうつがい(22)の第2傾斜部(22b)または上部ちょうつがい(21)の第1傾斜部(21b)には一つ以上の支持突起(25)が形成されることができて、このような支持突起(25)は上部ちょうつがい(21)が下部ちょうつがい(22)に対して回動し第1傾斜部(21b)が第2傾斜部(22b)に支持される際、その開放度を一定に維持できるように補助する役割ができる。一方、上部ちょうつがい(21)及び下部ちょうつがい(22)の加工が完了した以降に後加工工程を通じて支持突起(25)を非常に手軽に形成させることができるため第1傾斜部（21b）と第2の傾斜部(22b)の加工誤差を効果的に調節でき、これを通じてその製造単価をより減らすことができる。
【００２１】
第2水平連結部(22c)は水平部(22a)及び第2傾斜部(22b)を下のパン(12)の外側に突出させるように連結することにより、上のパン(11)と下のパン(12)の分離及び結合、上のパンの回動動作などを干渉なく円滑にできる。
第2装着部(22d)は下のパン(12)の外面に対応する形状に形成され、これに第2装着部(22d)は下のパン(12)の外面にリベッティング、ボルト、溶接などを通じて緊密に結合できる。一方、上のパン(11)と下のパン(12)の密閉性向上のためには下のパン（12）の下部ちょうつがい(22)と下部の取っ手部(32)は同一の垂直高さに装着されるのが望ましく、そのためリベット(24)を利用して下部ちょうつがい(22)及び下部の取っ手部(32) 各々をリベッティングさせるのが有利である。
【００２２】
以下、上記のように構成された本考案による両面フライパンの作動関係を詳細に説明する。
上のパン(11)の上部ちょうつがい(21)を下のパン(12)の下部ちょうつがい(22)に結合させる際、上部ちょうつがい(21)の挿入部(21a)を下部ちょうつがい(22)の挿入スロット(22e)に挿入させる。
その後に、上部ちょうつがい(21)を下部ちょうつがい(22)に対し、一定角度（例えば、90°程度）に回動させると、上のパン(11)は下のパン(12)の上部を開放する。
この時、上部ちょうつがい(21)の支持部(26)が下部ちょうつがい(22)の水平部(22a)の端の面と面接触し支持されることにより、上のパン(11)の開放度が安定的に維持されて上のパン(11)が下のパン(12)の後方側に傾きが(90°以上回動され)効果的に防止できる。
【００２３】
このように開放された状態で下のパン(12)と上のパン(11)の間に調理対象物を置いた後に、上のパン(11)を下向きに回動させて上のパン(11)と下のパン(12)の間の空間を密閉することにより、ゆでたり、揚げたり、蒸したり、炒めたりなどの様々な圧力調理ができる。  そして、支持部(26)により、上のパン(11)の開放度が安定的に維持されることにより、料理途中に調理確認が手軽で、料理途中に上のパン(11)の開放に必要なゆで料理またはポップコーン料理に効果的に活用できる。
そして、上部ちょうつがい(21)の挿入部(21a)を下部ちょうつがい(22)の挿入スロット(22e)から後方側に移動させるだけで、上のパン(11)と下のパン(12)は非常に手軽に分離される。このように分離された上のパン(11)及び下のパン(12)は独立的なフライパンの用途に使うことができる。
【００２４】
以上、本考案の具体的な実施例を説明したが、本考案はこの明細書に開示された実施例及び添付された図面により限定されず、本考案の技術的思想を外れない範囲以内で当業者により様々に変形できる。
【符号の説明】
【００２５】
11:  上のパン           12:下のパン
21: 上部ちょうつがい    21a: 挿入部
21b: 第1傾斜部          21c: 第1水平連結部 
21d: 第1装着部          22:下部ちょうつがい
22a：水平部              22b:第2傾斜部
22c: 第2水平連結部      22d:第2装着部
【図１】
0003190524.tif 000003
【図２】
0003190524.tif 000004
【図３】
0003190524.tif 000005
【図４】
0003190524.tif 000006
【図５】
0003190524.tif 000007